(57)【要約】【課題】外装化粧材と軒天との施工順序が不問となり、外装化粧材を施工した後であっても、軒天の取り付け又は取り外しを容易に行うことができる外装化粧材の提供を目的とする。【解決手段】  軒を構成する木下地１２０の外側面及び軒天１３０の端縁部を覆い隠すための外装化粧材１であって、木下地１２０の外側面を覆い隠す略板状の化粧材本体１０と、軒天１３０の端縁部を覆い隠す略板状の見切り材２０とを備え、少なくとも、化粧材本体１０の下端側に、木下地１２０に接合された軒天１３０と干渉しない係合部１１を設け、この係合部１１によって、化粧材本体１０と見切り材２０とを着脱可能に取り付けた構成としてある。【選択図】図１
2008069546.tif 000002
【特許請求の範囲】
【請求項１】
軒を構成する木下地の外側面及び軒天の端縁部を覆い隠すための外装化粧材であって、
前記木下地の外側面を覆い隠す略板状の化粧材本体と、
前記軒天の端縁部を覆い隠す略板状の見切り材とを備え、
少なくとも、前記化粧材本体の下端側に、前記木下地に接合された前記軒天と干渉しない係合部を設け、この係合部によって、前記化粧材本体と前記見切り材とを着脱可能に取り付けたことを特徴とする外装化粧材。
【請求項２】
前記係合部を、前記木下地又は軒天側に向かって開口する凹溝とするとともに、前記見切り材を合成樹脂で形成し、その一側に弾性をもって上下に開く一対の二股板状係合片を設け、
前記凹溝に前記二股状係合片を互いに交差する方向に圧入することによって、前記化粧材本体と前記見切り材とを互いに交差する方向に着脱可能に取り付けたことを特徴とする請求項１記載の外装化粧材。
【請求項３】
前記係合部の凹溝の開口部下端縁又は上端縁の少なくとも一方に、上方又は下方に突出する突出部を設けるとともに、前記二股板状係合片の少なくとも一方の端部側に、前記突出部に当接して係止する係止爪を形成したことを特徴とする請求項１又は２記載の外装化粧材。
【請求項４】
前記見切り材の他側を少なくとも１箇所上方に向かって曲折させ、この他端側が前記軒天に弾性接触するようにしたことを特徴とする請求項２又は３記載の外装化粧材。
【請求項５】
前記化粧材本体の裏面を平坦面又は凸部が同一高さの凹凸面とし、その全体を窯業系材料によって一体化したことを特徴とする請求項１〜４いずれか記載の外装化粧材。
【請求項６】
請求項１〜５いずれか記載の外装化粧材の施工に用いる位置決め治具であって、
治具本体が、一側面、上面及び下面の少なくとも三面を有し、
前記治具本体の一側面を、前記化粧材本体の裏面に当接される略垂直な化粧材本体当接面とし、この化粧材本体当接面の所定位置に、前記化粧材本体の係合部に係合可能な凸状部を突設し、
前記治具本体の上面又は下面の一方を、前記木下地の下端面に当接される木下地当接面とし、この木下地当接面を、前記凸状部を基準にして第１の所定位置決め高さに設け、
前記治具本体の上面又は下面の他方を、前記軒天の端縁部に当接される軒天当接面とし、この軒天当接面を、前記凸状部を基準にして第２の所定位置決め高さに設けたことを特徴とする外装化粧材の位置決め治具。
【請求項７】
前記軒天当接面を、前記軒天の取り付け角に対応する略水平面又は傾斜面とし、
前記木下地当接面の前記第１の所定位置決め高さを、前記軒天の取り付け時における上下面間の垂直幅、及び前記見切り材の上方への突出高さを考慮した高さとし、
前記軒天当接面の前記第２の所定位置決め高さを、前記見切り材の上方への突出高さを考慮した高さとしたことを特徴とする請求項６記載の外装化粧材の位置決め治具。
【発明の詳細な説明】
【技術分野】
【０００１】
本発明は、軒を装飾するための鼻隠し又は破風といった外装化粧材、及びその位置決め治具に関し、特に、外装化粧材と軒天との施工順序が不問となり、外装化粧材を施工した後であっても、軒天の取り付け又は取り外しを容易に行うことができる外装化粧材及びその位置決め治具に関する。
【背景技術】
【０００２】
従来から、軒を構成する木下地の外側面、及びこの木下地に接合された軒天の端縁部を覆い隠して装飾するために、鼻隠し又は破風といった外装化粧材が広く用いられている。例えば、図１４は特開平７−２２９２５６号公報（特許文献１参照）で提案されている従来の外装化粧材の施工状態を示す部分断面図である。
【０００３】
同図において、従来の外装化粧材１１０は、板状をなす鼻隠し（又は破風）本体部１１１と、鼻隠し本体部１１１の下部側から側方に向けて突き出す張出し部１１２とを一体に備え、張出し部１１２に換気口１１２ａを形成した構成となっていた。
【０００４】
このような従来の外装化粧材１１０は、軒天１３０の施工後に、木下地１２０の外側面に沿って鼻隠し本体部１１１を釘やビスで固定することにより施工していた。また、木下地１２０に鼻隠し本体部１１１を固定すると、張出し部１１２の先端１１２ｂが、軒天１３０の端縁部を覆い隠すようになっていた。さらに、鼻隠し本体部１１１の外側には、雨樋１４０がその長手方向に沿って取り付けられていた。
【特許文献１】特開平７−２２９２５６号公報（図１，４参照）
【発明の開示】
【発明が解決しようとする課題】
【０００５】
ところが、上述した従来の外装化粧材１１０では、鼻隠し本体部１１１に一体化した張出し部１１２（先端１１２ｂ）により、軒天１３０の端縁部を覆い隠す構成となっていたため、天井裏のメンテナンスや破損した軒天１３０を交換する場合などに、軒天１３０を容易に取り外すことができないという問題があった。
【０００６】
すなわち、軒天１３０の端縁部が鼻隠し本体部１１１の張出し部１１２に覆い隠されているために、軒天１３０を単独で取り外すことができず、まず、雨樋１４０を取り外し、次いで、外装化粧材１１０を取り外し、その後、軒天１３０を取り外すといった順序を経なければならなかった。
【０００７】
また、施工時は上記と逆に、まず先に、軒天１３０を取り付けた後でなければ、外装化粧材１１０を取り付けることができず、軒天１３０と外装化粧材１１０との施工順序が制限されてしまうという問題もあった。
【０００８】
さらに、鼻隠し本体部１１１に張出し部１１２を一体化した断面略Ｌ字形状の外装化粧材１１０では、窯業系材料等によって全体を一体的に押し出し成形する場合に、張出し部１１２を形成するための、Ｌ字型のサポーター治具を必要とし、一般的な平板トレイが使用できず、製造に手間が掛かるという問題もあった。
【０００９】
これに加え、従来の外装化粧材１１０では、柔軟性のない硬質の窯業系材料等によって張出し部１１２を鼻隠し本体部１１１に一体化していたので、木下地１２０や軒天１３０の取り付け誤差や寸法誤差が生じた場合には、張出し部１１２と軒天１３０との間に隙間Ｓが生じてしまうことがあり、取り付け誤差や寸法誤差に柔軟に対応することができないという問題もあった。
【００１０】
本発明は上記問題点に鑑みてなされたものであり、外装化粧材と軒天との施工順序が不問となり、外装化粧材を施工した後であっても、軒天の取り付け又は取り外しを容易に行うことができ、また、サポーター治具を使用することなく効率よく押出成形することが可能であり、さらに、木下地や軒天の取り付け誤差や寸法誤差に柔軟に対応することができる外装化粧材及びその位置決め治具の提供を目的とする。
【課題を解決するための手段】
【００１１】
上記目的を達成するために、本発明の外装化粧材は、軒を構成する木下地の外側面及び軒天の端縁部を覆い隠すための外装化粧材であって、前記木下地を覆い隠す略板状の化粧材本体と、前記軒天の端縁部を覆い隠す略板状の見切り材とを備え、少なくとも、前記化粧材本体の下端側に、前記木下地に接合された前記軒天と干渉しない係合部を設け、この係合部によって、前記化粧材本体と前記見切り材とを着脱可能に取り付けた構成としてある。
【００１２】
このような構成によれば、化粧材本体が軒天と干渉しないので、軒天との関係で施工の先後が問われない。したがって、化粧材本体と軒天とのいずれを先に施工してもよい。いずれが先の場合でも、軒天の施工後に見切り材を化粧材本体に装着すれば、施工された軒天の端縁部を覆い隠し、この端縁部における隙間、釘やビスの頭を目隠しすることが可能となる。
【００１３】
また、軒天の端縁部を、着脱自在な見切り材によって覆い隠しているので、本外装化粧材を施工した後であっても、見切り材のみを分離することにより、軒天を容易に取り外すことができる。
【００１４】
さらに、化粧材本体は、見切り材を着脱自在な別体としてあるので、従来の外装化粧材のような張出し部を一体化する必要がない。これにより、化粧材本体の裏面が平坦面となり、サポーター治具を用いずに効率よく押出成形することが可能となる。
【００１５】
これに加え、化粧材本体を耐火性に優れた窯業系材料で形成し、見切り材のみを弾性に富んだ合成樹脂で形成することが可能となり、この見切り材の弾性を利用して、木下地や軒天の取り付け誤差や寸法誤差に柔軟に対応して、軒天の端縁部を目隠しすることができる。
【００１６】
ここで、「化粧材本体」には、屋根の下側に取り付けられる化粧材の機能を有する部材であって、例えば、鼻隠しや破風の機能を果たす部材が含まれる。このような化粧材本体を形成するための材料としては、耐火性に優れた繊維混入けい砂セメント等の窯業系材料が通常用いられる。
【００１７】
また、「係合部」には、化粧材本体を木下地に固定したときに軒天と干渉しないものであって、化粧材本体の下端側に見切り材を着脱可能とする種々の係合手段が含まれる。さらに、「係合」とは、化粧材本体と見切り材とが直接係合する場合に限らず、例えば、シール材等を介して係合する場合も含まれる。
【００１８】
好ましくは、前記係合部を、前記木下地又は軒天側に向かって開口する凹溝とするとともに、前記見切り材を合成樹脂で形成し、その一側に弾性をもって上下に開く一対の二股板状係合片を設け、前記凹溝に前記二股状係合片を互いに交差する方向に圧入することによって、前記化粧材本体と前記見切り材とを互いに交差する方向に着脱可能に取り付けた構成とする。
【００１９】
このような構成によれば、見切り材の弾性を有する二股板状係合片を上下に閉じた状態とすることにより、この二股板状係合片を、凹溝である化粧材本体の係合部に簡単に挿抜することができ、化粧材本体への見切り材の係合又は係合解除を容易に行うことができる。すなわち、化粧材本体に見切り材を容易に着脱することができる。
【００２０】
また、このような見切り材の二股板状係合片は、凹溝である化粧材本体の係合部内において、上下に開いた状態となって上下方向に作用する付勢力を生じ、この付勢力により係合部と強固に係合することができる。
【００２１】
好ましくは、前記係合部の凹溝の開口部下端縁又は上端縁の少なくとも一方に、上方又は下方に突出する突出部を設けるとともに、前記二股板状係合片の少なくとも一方の端部側に、前記突出部に当接して係止する係止爪を形成した構成とする。
【００２２】
このような構成によれば、見切り材の二股板状係合片が、凹溝である化粧材本体の係合部に作用させる上下方向の付勢力に加え、二股板状係合片の係止爪と、係合部の突出部とが互いに当接して係止するので、二股状係合片の係合部からの脱落が防止され、見切り材を化粧材本体により確実に装着することが可能となる。
【００２３】
また、係止爪と突出部との係止によって、二股板状係合片と係合部との係合が確実かつ強固なものとなった場合でも、二股板状係合片を押圧して上下に閉じた状態とすることにより、簡単に係合部との係合を解除することができ、見切り材を化粧材本体から容易に分離することができる。
【００２４】
好ましくは、前記見切り材の他側を少なくとも１箇所上方に向かって曲折させ、この他端側が前記軒天に弾性接触するようにした構成とする。
【００２５】
このような構成によれば、化粧材本体に装着した見切り材の先端が、より軒天の端縁部に接触しやすくなり、取り付け誤差や寸法誤差による見切り材と軒天との隙間、特に外観上支障となるレベル（５ｍｍ以上）の隙間の発生を効果的に防止することができる。
【００２６】
また、合成樹脂製の見切り材の弾性を利用して、見切り材の先端が軒天の端縁部に弾性接触するようにすれば、取り付け誤差や寸法誤差が大きい場合でも、軒天との隙間の発生をより確実に防止することが可能となる。
【００２７】
好ましくは、前記化粧材本体の裏面を平坦面又は凸部が同一高さの凹凸面とし、その全体を窯業系材料によって一体化した構成とする。
【００２８】
このような構成によれば、上述したように、従来の外装化粧材の張出し部を一体化するためのサポーター治具を使用する必要がなり、耐火性に優れた窯業系材料を原料とする押出成形によって、化粧材本体を効率よく大量生産することができる。
【００２９】
上記目的を達成するために、本発明の外装化粧材の位置決め治具は、上述した本発明に係るいずれかの外装化粧材の施工に用いる位置決め治具であって、治具本体が、一側面、上面及び下面の少なくとも三面を有し、前記治具本体の一側面を、前記化粧材本体の裏面に当接される略垂直な化粧材本体当接面とし、この化粧材本体当接面の所定位置に、前記化粧材本体の係合部に係合可能な凸状部を突設し、前記治具本体の上面又は下面の一方を、前記木下地の下端面に当接される木下地当接面とし、この木下地当接面を、前記凸状部を基準にして第１の所定位置決め高さに設け、前記治具本体の上面又は下面の他方を、前記軒天の端縁部に当接される軒天当接面とし、この軒天当接面を、前記凸状部を基準にして第２の所定位置決め高さに設けた構成としてある。
【００３０】
このような構成によれば、軒天の施工の先後を問わず、本外装化粧材を木下地又は軒天に対して適切な高さに位置決めすることができる。すなわち、軒天の施工の先後を問わず、本外装化粧材を構成する化粧材本体の係合部を、木下地又は軒天に対して適切な高さに位置決めすることができ、軒天の施工後において、前記係合部に見切り材をスムーズに装着することができるようになる。
【００３１】
例えば、木下地の下端面に軒天の端縁部をビス止めする場合において、軒天より先に本外装化粧材を木下地に固定するならば、本位置決め治具の木下地当接面を上にして、その凸状部を化粧材本体の係合部に係合させる。この状態で化粧材本体を木下地の外側面に覆い被せ、本位置決め治具の木下地当接面を木下地の下端面に当接させれば、化粧材本体の係合部が、木下地の下端面に対して適切な高さに位置決めされる。
【００３２】
一方、上記例示において、軒天より後に本外装化粧材を木下地に固定するならば、上記と逆に、本位置決め治具の軒天当接面を上にして、その凸状部を化粧材本体の係合部に係合させる。この状態で化粧材本体を木下地の外側面に覆い被せ、本位置決め治具の軒天当接面を軒天の端縁部に当接させれば、化粧材本体の係合部が、軒天の端縁部に対して適切な高さに位置決めされる。
【００３３】
なお、木下地の下端面に軒天の端縁部を直接ビス止めしない場合も、本位置決め治具の軒天当接面を上にして、その凸状部を化粧材本体の係合部に係合させることにより、前記係合部を木下地の下端面に対して適切な高さに位置決めすることができる。
【００３４】
このような本位置決め治具は、略垂直な化粧材本体当接面、凸状部、この凸状部を基準にして所定の高さに形成された木下地当接面及び軒天当接面を有するものであればよい。例えば、本位置決め治具の治具本体は、化粧材本体と同様に木下地に沿って長手方向に延びる長尺体としてもよく、また、治具本体を短くした複数の本位置決め治具を化粧材本体に係合させて位置決めする構成としてもよい。
【００３５】
好ましくは、前記軒天当接面を、前記軒天の取り付け角に対応する略水平面又は傾斜面とし、前記木下地当接面の前記第１の所定位置決め高さを、前記軒天の取り付け時における上下面間の垂直幅、及び前記見切り材の上方への突出高さを考慮した高さとし、前記軒天当接面の前記第２の所定位置決め高さを、前記見切り材の上方への突出高さを考慮した高さとした構成とする。
【００３６】
このような構成によれば、本外装化粧材を構成する化粧材本体の係合部を、木下地又は軒天に対して最適な高さに位置決めすることができ、例えば、前記係合部に係合させた見切り材に軒天への付勢力をもたせたり、見切り材の弾性を利用して取り付け誤差や寸法誤差による隙間の発生を防止したりすることが可能となる。
【００３７】
ここで、「軒天の取り付け時における上下面間の垂直幅」とは、軒天の上下面間の垂直幅であって、例えば、軒天が下地材の下端部に略水平に取り付けられた場合ならば、軒天の肉厚が上下面間の垂直幅に相当する。また、軒天が下地材の下端部に傾斜して取り付けられた場合ならば、傾斜した軒天の上面と下面とを結ぶ垂線の長さが垂直幅に相当する。
【００３８】
一方、「見切り材の上方への突出高さ」とは、化粧材本体の係合部に見切り材を係合させた場合に、この係合部よりも上方へ突出する部分の高さをいう。例えば、略水平な見切り材の先端側を上方に向かって曲折させた場合には、この曲折部分の高さが突出高さに相当する。
【００３９】
また、「考慮した高さ」とは、「軒天の取り付け時における上下面間の垂直幅」及び「見切り材の上方への突出高さ」の両方、又は「見切り材の上方への突出高さ」のみに基づいて第１又は第２の所定位置決め高さを決定することを意味する。
【００４０】
例えば、木下地当接面の第１の所定位置決め高さは、「軒天の取り付け時における上下面間の垂直幅」に「見切り材の上方への突出高さ」を加えた高さとすることができるが、この場合は理論上、化粧材本体の係合部に係合させた見切り材が、軒天に対して付勢力又は弾性力を及ぼさない。そこで、この第１の所定位置決め高さを「軒天の取り付け時における上下面間の垂直幅」に「見切り材の上方への突出高さ」を加えた高さよりも適度に低くすれば、化粧材本体の係合部に係合させた見切り材が、軒天に対して付勢力又は弾性力を及ぼすようになり、取り付け誤差や寸法誤差の吸収が可能となる。このことは、「見切り材の上方への突出高さ」のみを考慮して決定される軒天当接面の第２の所定位置決め高さについても同様である。
【発明の効果】
【００４１】
本発明の外装化粧材によれば、外装化粧材と軒天との施工順序が不問となり、外装化粧材を施工した後であっても、軒天の取り付け又は取り外しを容易に行うことができ、また、サポーター治具を使用することなく効率よく押出成形することが可能であり、さらに、木下地や軒天の取り付け誤差や寸法誤差に柔軟に対応することができる。
【００４２】
また、本発明の外装化粧材の位置決め治具によれば、軒天の施工の先後を問わず、本外装化粧材を木下地又は軒天に対して適切な高さに位置決めすることができる。すなわち、軒天の施工の先後を問わず、本外装化粧材を構成する化粧材本体の係合部を、木下地又は軒天に対して適切な高さに位置決めすることができ、軒天の施工後において、前記係合部に見切り材をスムーズに装着することができるようになる。
【発明を実施するための最良の形態】
【００４３】
以下、本発明の実施形態に係る外装化粧材及びその位置決め治具について、図面を参照しつつ説明する。まず、図１〜図８に基づいて、本発明の一実施形態に係る外装化粧材について説明する。なお、上述した従来技術（図１４参照）と同様の箇所については、同一の符号を付して詳細な説明は省略する。
【００４４】
＜外装化粧材の全体構成＞
図１〜図３は本発明の一実施形態に係る外装化粧材の異なる施工状態を示す部分断面図であり、図１は木下地に軒天を略水平に取り付けた場合、図２は木下地に軒天を傾斜させて取り付けた場合、図３は木下地と面一に軒天を略水平に取り付けた場合をそれぞれ示している。図４は本実施形態に係る外装化粧材を示す斜視図である。
【００４５】
図１及び図４において、１は本実施形態に係る外装化粧材であり、耐火性に優れた窯業系材料によって形成した化粧材本体１０と、適度な弾性、耐候性及び剛性を兼ね備えた合成樹脂（アクリロニトリル−エチレンゴム−スチレン共重合樹脂）によって形成した見切り材２０とを互いに係合させた構成となっている。
【００４６】
化粧材本体１０は、軒を構成する木下地１２０の外側面に沿って延びる長尺の板状部材であり、この木下地１２０の外側面を覆い隠して装飾している。一方、見切り材２０も、化粧材本体１０と同じ方向に延びる長尺の薄板状部材である。この見切り材２０は、化粧材本体１０の裏側下端部に形成された係合部１１に係合し、化粧材本体１０と交差する方向に張り出して、軒天１３０の端縁部を覆い隠している。このような見切り材２０によって、軒天１３０の端縁部における隙間Ｓ及び釘頭Ｈを目隠しし、軒裏側の見栄えを良好にしている。
【００４７】
さらに、化粧材本体１０の外側には、その長手方向に沿って雨樋１４０が取り付けてある。雨樋１４０は、化粧材本体１０を貫通する図示しないビス又は釘によって、木下地１２０に固定してある。
【００４８】
このような外装化粧材１は、図１に示すように、木下地１２０の下端面に、軒天１３０を略水平に取り付けた場合、図２に示すように、木下地１２０の下端面に、軒天１３０を傾斜して取り付けた場合、図３に示すように、軒天１３０を、木下地１２０に隣接して設けた下地材１５０に取り付けた場合のいずれにも適用することができる。
【００４９】
＜化粧材本体の構成＞
図５は本外装化粧材を構成する化粧材本体の端面図であり、同図（ａ）は化粧材本体の裏面を平坦面とした場合、同図（ｂ）は化粧材本体の裏面に肉抜き凹部を形成した場合を示す。
【００５０】
図４及び図５（ａ）において、化粧材本体１０は、その表面１０ａに立体的又は平面的な模様、色彩などの装飾的処理が施してある（図示せず）。本実施形態では、化粧材本体１０の裏面１０ｂを平坦面としてあり、化粧材本体１０を木下地１２０の外側面に当接させたときに、軒天１３０に干渉するような張出部分が一切ない構成としてある。
【００５１】
化粧材本体１０の裏面１０ｂの下端側には、上述した係合部１１が形成してある。この係合部１１は、断面略コ字型の凹溝であり、化粧材本体１０の長手方向に沿って延びている。また、係合部１１の凹溝の開口部下端縁には、上方に向かって突出する突出部１１ａが形成してある。
【００５２】
なお、化粧材本体１０の表面１０ａ側において、点線で囲った上端部１０ｃ及び下端部１０ｄは、見栄えを良好にするための装飾的形状であり、本外装化粧材１を施工する軒のデザインに応じて他の形状に変更することが可能である。
【００５３】
このような化粧材本体１０は、耐火性に優れた繊維混入けい砂セメント等の窯業系材料が通常用いられる。そして、押出成形により製造した長尺の化粧材本体１０を、木下地１２０の長さに応じて適宜切断して施工する。
【００５４】
ここで、図５（ｂ）に示す他の化粧材本体１０’のように、裏面１０ｂに複数の肉抜き用溝１２ａ，１２ａ，１２ａ…を形成して軽量化を図ってもよい。このような構成とした場合でも、各肉抜き用溝１２ａによって形成された凸部１２ｂ，１２ｂ，１２ｂ…の高さが同一であるならば、この化粧材本体１０’を木下地１２０の外側面に当接させたときに、軒天１３０に干渉する張出部分は形成されない。
【００５５】
＜見切り材の構成＞
図６は本外装化粧材を構成する見切り材を示す端面図である。
【００５６】
図４及び図６において、見切り材２０は、合成樹脂により形成された長尺の薄板状部材であって、その一側には、弾性をもって上下に開く一対の二股板状係合片２１が設けてあり、その他側には、２箇所上方に向かって曲折させた曲折部２２が形成してある。
【００５７】
二股板状係合片２１は、曲折部２２と比較してより薄い、一対の上部係合片２１Ａと下部係合片２１Ｂとからなっている。これら上部及び下部係合片２１Ａ，２１Ｂは、共に良好な可撓性を有し、作業者が手で押圧することによって、上下に閉じた状態にすることが可能となっている。また、下部係合片２１Ｂの端部裏側には、その長手方向に連続する係止爪２１ｂが形成してある。
【００５８】
ここで、本実施形態では、上部係合片２１Ａのみを傾斜させて係合維持に十分な付勢力を発揮させ、一方で、下部係合片２１Ｂを略水平に形成してある。これにより、施工された見切り材２０の外観を構成する下部係合片２１Ｂの下面が、すっきりした平坦面となって、見切り材２０の見栄えが良好となる。
＜化粧材本体と見切り材との係合＞
【００５９】
次に、上記構成からなる化粧材本体１０と見切り材２０との係合状態及び係合手順について、図７及び図８（ａ）〜（ｃ）を参照しつつ説明する。図７は本外装化粧材を構成する化粧材本体と見切り材との係合状態を示す部分拡大図である。図８（ａ）〜（ｃ）は上記化粧材本体と見切り材との係合手順を示す部分断面斜視図である。
【００６０】
化粧材本体１０と見切り材２０とは、共に長手方向に延びる長尺な部材であるから、互いの係合部１１と二股板状係合片２１とを係合させる場合には、長手方向の一端側から他端側へ一部分ずつ係合作業を進めていく。なお、以下に説明する係合作業は、何ら特別な工具を使用することなく、作業者の手作業のみで行うことができる。
【００６１】
まず、図８（ａ）に示すように、見切り材２０の二股板状係合片２１の一端側を、化粧材本体１０の係合部１１に位置合わせする。次いで、図８（ｂ）に示すように、位置合わせした二股板状係合片２１の一端側を上下方向から押圧し、上部及び下部係合片２１Ａ，２１Ｂを上下に閉じた状態にする。この状態を維持しつつ、上部及び下部係合片２１Ａ，２１Ｂを化粧材本体１０の係合部１１に挿入又は圧入する。
【００６２】
すると、図７に示すように、凹溝である係合部１１内において、上部及び下部係合片２１Ａ，２１Ｂが上下に開いた状態に復元する。これにより、上部及び下部係合片２１Ａ，２１Ｂが、係合部１１の上下方向に作用する付勢力を生じさせる（図７の上下白抜き矢印（小）参照）。これと同時に、下部係合片２１Ｂの係合爪２１ｂが、係合部１１の突出部１１ａに当接して脱落が防止され、係合部１１に二股板状係合片２１が強固に係合する。
【００６３】
その後、図８（ｃ）に示すように、上記と同様の手順により、見切り材２０の二股板状係合片２１の他端側へと係合作業を進めていく。これにより、長尺状の係合部１１及び二股板状係合片２１の全長にわたって、二股板状係合片２１の付勢力を伴い、係合爪２１ａと突出部１１との当接による脱落防止が図られた良好な係合状態が形成される。
【００６４】
ここで、図７に示すように、化粧材本体１０の木下地１２０への取り付け位置を調整し（後に詳述する）、見切り材２０を化粧材本体１０に係合させたとき、見切り材２０の曲折部２２が軒天１３０に弾性接触するようにしてもよい（図中の上下白抜き矢印（大）参照）。このような構成とした場合は、見切り材２０の曲折部２２先端が、より軒天１３０の端縁部に接触しやすくなり、取り付け誤差や寸法誤差による見切り材２０と軒天１３０との隙間の発生を防止して、見栄えを良好にすることができる。
【００６５】
なお、上述した手順により化粧材本体１０に係合した見切り材２０は、上部及び下部係合片２１Ａ，２１Ｂを上下方向から押圧して上下に閉じた状態とし、二股板状係合片２１を一端側から他端側へと順に係合部１１から係合解除させることにより、簡単に化粧材本体１０から分離させることができる。なお、このような見切り材２０の分離作業も、何ら特別な工具を使用することなく、作業者の手作業のみで行うことができる。
【００６６】
＜外装化粧材の位置決め治具＞
次に、本発明の実施形態に係る外装化粧材の位置決め治具について、図９〜図１２を参照しつつ説明する。
【００６７】
図９は本発明の第１実施形態に係る外装化粧材の位置決め治具を示す部分断面斜視図である。図１０は上記位置決め治具の使用状態を示す部分断面拡大図であり、同図（ａ）は化粧材本体より後に軒天を施工する場合、同図（ｂ）は化粧材本体より先に軒天を施工する場合を示す。なお、位置決め治具の材質は、特に限定されるものではないが、合成樹脂製の物が、加工性及び軽量性に優れている。
【００６８】
図９において、本発明の第１実施形態に係る外装化粧材の位置決め治具３０は、木下地１２０の下端面に軒天１３０を略水平に取り付けた場合（図１参照）に用いる。位置決め治具３０は、断面略長方形状の治具本体３１を有する。この治具本体３１の一側面は、化粧材本体１０の裏面１０ｂ（図５参照）に当接される略垂直な化粧材本体当接面３２としてあり、この化粧材本体当接面３２の所定位置に、化粧材本体１０の係合部１１に係合可能な凸状部３２ａを突設した構成となっている。
【００６９】
また、治具本体３１の図中上面は、木下地１２０の下端面に当接される木下地当接面３３としてある。この木下地当接面３３は、凸状部３２ａの図中上面を基準にして第１の所定位置決め高さＬ１に設けてある。
【００７０】
木下地当接面３３の第１の所定位置決め高さＬ１は、図１０（ａ）に示すように、軒天１３０の取り付け時における上下面間の垂直幅Ｌａ、及び見切り材２０の上方への突出高さＬｂ（図６参照）を考慮した高さとしてある。本実施形態の場合、軒天１３０の取り付け時における上下面間の垂直幅Ｌａは、軒天１３０を略水平に取り付けているので、軒天１３０の肉厚に等しい。
【００７１】
この第１の所定位置決め高さＬ１は、軒天１３０及び見切り材２０の取り付けスペースを考慮し、化粧材本体１０の係合部１１を、木下地１２０の下端面に対して最適な高さに位置決めするものである。したがって、Ｌ１＝Ｌａ＋Ｌｂに設定すると、理論上は、係合部１１に係合した見切り材２０の曲折部２２先端と、軒天１３０との間に隙間が生じないことになる。但し、取り付け誤差や寸法誤差を考慮すると、Ｌ１をＬａ＋Ｌｂよりも多少低い高さに設定して、見切り材２０の曲折部２２先端が、軒天１３０に付勢力を作用させつつ弾性接触することが好ましい。
【００７２】
一方、治具本体３１の図中下面は、既に木下地１２０に取り付けられた軒天１３０の端縁部に当接される軒天当接面３４としてある。この軒天当接面３４は、凸状部３２ａの図中下面を基準にして第２の所定位置決め高さＬ２に設けてある。
【００７３】
軒天当接面３４の第２の所定位置決め高さＬ２は、図１０（ｂ）に示すように、見切り材２０の上方への突出高さＬｂのみを考慮した高さとしてある。上記第１の所定位置決め高さの場合と同様に、Ｌ２＝Ｌｂに設定すると、理論上は、化粧材本体１０の係合部１１に係合した見切り材２０の曲折部２２先端と、軒天１３０との間に隙間が生じないことになるが、見切り材２０の曲折部２２先端を軒天１３０に弾性接触させるため、Ｌ２をＬｂよりも多少低い高さに設定することが好ましい。
【００７４】
上記構成からなる位置決め治具３０は、化粧材本体１０と軒天１３０との取り付けの先後に応じて、木下地当接面３３と軒天当接面３４とを適宜、上下反転させて使用する。
【００７５】
すなわち、化粧材本体１０を軒天１３０より先に木下地１２０に取り付ける場合は、木下地当接面３３を上にし、凸状部３２ａを化粧材本体１０の係合部１１に係合させ、位置決め治具３０を化粧材本体１０に装着する。この状態で、化粧材本体１０の裏面１０ｂを木下地１２０の外側面に覆い被せつつ、位置決め治具３０の木下地当接面３３を、木下地１２０の下端面に当接させる。これにより、化粧材本体１０の係合部１１が、木下地１２０の下端面に対して、軒天１３０及び見切り材２０の取り付けスペースを考慮した高さに位置決めされる。この状態で、化粧材本体１０を木下地１２０の外側面に釘止め又はビス止めすれば、化粧材本体１０を最適な位置に固定することができる。
【００７６】
一方、化粧材本体１０を軒天１３０より後に木下地１２０に取り付ける場合は、軒天当接面３４を上にして、上記と同様に位置決め治具３０を化粧材本体１０に装着する。この状態で、化粧材本体１０の裏面１０ｂを木下地１２０の外側面に覆い被せつつ、位置決め治具３０の軒天当接面３４を、軒天１３０の端縁部に当接させる。これにより、化粧材本体１０の係合部１１が、軒天１３０の端縁部に対して、見切り材２０の取り付けスペースを考慮した高さに位置決めされ、化粧材本体１０を最適な位置に固定することができる。
【００７７】
次に、本発明の第２実施形態に係る外装化粧材の位置決め治具について、図１１及び図１２を参照しつつ説明する。
【００７８】
図１１は本発明の第２実施形態に係る外装化粧材の位置決め治具を示す部分断面斜視図である。図１２は上記位置決め治具の使用状態を示す部分断面拡大図であり、同図（ａ）は化粧材本体より後に軒天を施工する場合、同図（ｂ）は化粧材本体より先に軒天を施工する場合を示す。
【００７９】
図１１において、本発明の第２実施形態に係る外装化粧材の位置決め治具３０’は、木下地１２０の下端面に軒天１３０を傾斜して取り付けた場合（図２参照）に用いる。本実施形態では、位置決め治具３０’の軒天当接面３４’を、軒天１３０とほぼ同じ角度α°（図１２（ｂ）参照）に傾斜させた構成としてある。
【００８０】
本実施形態では、図１２（ｂ）に示すように、傾斜する軒天当接面３４’の頂部の高さを、見切り材２０の上方への突出高さＬｂを考慮した高さ（好ましくは、Ｌｂよりも若干低い高さ）としてある。但し、軒天１３０の傾斜角度（＝軒天当接面３４’の傾斜角度）α°によっては、軒天当接面３４’の頂部の高さをＬｂより低くしても、軒天１３０との間にＬｂが確保される場合もあるので、このような場合は、軒天当接面３４’の頂部の高さをＬｂ近傍とする必要はない。
【００８１】
一方、図１２（ａ）に示すように、位置決め治具３０’の木下地当接面３３’は、軒天１３０の取り付け時における上下面間の垂直幅Ｌａ’、及び見切り材２０の上方への突出高さＬｂを考慮した高さ（好ましくは、Ｌａ’＋Ｌｂより若干低い高さ）としてある。本実施形態の場合、軒天１３０の取り付け時における上下面間の垂直幅Ｌａ’は、軒天１３０を傾斜して取り付けているので、軒天１３０の肉厚（図１０（ａ）の符号Ｌａ参照）よりも若干大きい。
【００８２】
上記構成からなる位置決め治具３０’は、上述した第１実施形態の位置決め治具３０と同様に、化粧材本体１０と軒天１３０との取り付けの先後に応じて、木下地当接面３３’と軒天当接面３４’とを適宜、上下反転させて使用する。この位置決め治具３０’の化粧材本体１０への装着手順、木下地１２０又は軒天１３０に対する位置決め手順も、上述した第１実施形態の位置決め治具３０と同様であるので、詳細な説明は省略する。
【００８３】
なお、軒天１３０を、木下地１２０に隣接して設けた下地材１５０に取り付ける場合（図３参照）は、例えば、図１０（ｂ）に示す位置決め治具３０の軒天当接面３４を利用し、化粧材本体１０の係合部１１を、木下地１２０の下端面又は軒天１３０の端縁部に対して、見切り材２０の取り付けスペースを考慮した高さに位置決めすることができる。
【００８４】
以上説明したように、本実施形態に係る外装化粧材１によれば、化粧材本体１０が軒天１３０と干渉しないので、軒天１３０との関係で施工の先後が問われない。したがって、化粧材本体１０と軒天１３０とのいずれを先に施工してもよい。いずれが先の場合でも、軒天１３０の施工後に見切り材２０を化粧材本体１０に装着すれば、施工された軒天１３０の端縁部を覆い隠し、この端縁部における隙間、釘やビスの頭を目隠しすることが可能となる。
【００８５】
軒天１３０の端縁部を、着脱自在な見切り材２０によって覆い隠しているので、本外装化粧材１を施工した後であっても、見切り材２０のみを分離することにより、軒天１３０を容易に取り外すことができる。
【００８６】
化粧材本体１０は、見切り材２０を着脱自在な別体としてあるので、従来の外装化粧材１１０のような張出し部１１２（図１４参照）を一体化する必要がない。これにより、化粧材本体の裏面が平坦面となり、サポーター治具を用いずに効率よく押出成形することが可能となる。
【００８７】
化粧材本体１０を耐火性に優れた窯業系材料で形成し、見切り材２０のみを弾性に富んだ合成樹脂で形成することが可能となり、この見切り材２０の弾性を利用して、木下地１２０や軒天１３０の取り付け誤差や寸法誤差に柔軟に対応して、軒天１３０の端縁部を目隠しすることができる。
【００８８】
見切り材２０の二股板状係合片２１を上下に閉じた状態とすることにより、この二股板状係合片２１を、凹溝である化粧材本体１０の係合部１１に簡単に挿抜することができ、化粧材本体１０への見切り材２０の係合又は係合解除を容易に行うことができる。すなわち、特別な工具を用いることなく、作業者の手作業のみによって、化粧材本体１０に見切り材２０を容易に着脱することができる。
【００８９】
このような見切り材２０の二股板状係合片２１は、凹溝である化粧材本体１０の係合部１１内において、上下に開いた状態となって上下方向に作用する付勢力を生じ、この付勢力により係合部１１と強固に係合することができる。
【００９０】
見切り材２０の他側に上方に向かう曲折部２２を形成し、この曲折部２２先端が軒天１３０に弾性接触するようにしたので、この曲折部２２先端が、より軒天１３０の端縁部に接触しやすくなり、取り付け誤差や寸法誤差による見切り材２０と軒天１３０との隙間の発生を効果的に防止することができる。
【００９１】
一方、本実施形態に係る外装化粧材１の位置決め治具３０又は３０’によれば、軒天１３０の施工の先後を問わず、本外装化粧材１を木下地１２０又は軒天１３０に対して適切な高さに位置決めすることができる。すなわち、軒天１３０の施工の先後を問わず、本外装化粧材１を構成する化粧材本体１０の係合部１１を、木下地１２０又は軒天１３０に対して適切な高さに位置決めすることができ、軒天１３０の施工後において、係合部１１に見切り材２０をスムーズかつ最適な位置に装着することができるようになる。
【００９２】
なお、本発明の外装化粧材及びその位置決め治具は、上述した実施形態に限定されるものではない。例えば、化粧材本体１０の外観形状は、図面に例示されたものに限定されるものではなく、軒天１３０に干渉しないことを条件に、種々変更することができる。
【００９３】
また、化粧材本体１０と見切り材２０との係合構造も、軒天１３０に干渉しないことを条件に、種々の係合構造に変更することができる。例えば、図１３（ａ）に示すように、化粧材本体１０の下端部に凹溝１０ｅを形成し、この凹溝１０ｅの部内に長手方向に延びる断面長方形状の係合凸条部１２を設ける。一方、見切り材２０には、係合凸条部１２に嵌り合う断面略コ字型の係合凹条部２３を形成した構成としてもよい。
【００９４】
さらに、図１３（ｂ）に示すように、化粧材本体１０の下端部に凹部を形成し、この凹部内に長手方向に延びる断面円形状の係合凸条部１３を設ける。一方、見切り材２０には、係合凸条部１３に嵌り合う断面略Ｃ字型の係合凹条部２４を形成した構成としてもよい。このような構成とした場合は、見切り材２０を化粧材本体１０に装着した後、この見切り材２０の取り付け角度を、断面円形状の係合凸条部１３を支点にして変更することができる。
【図面の簡単な説明】
【００９５】
【図１】本発明の一実施形態に係る外装化粧材の異なる施工状態を示す部分断面図であり、木下地に軒天を略水平に取り付けた場合を示している。
【図２】同じく、本発明の一実施形態に係る外装化粧材の異なる施工状態を示す部分断面図であり、木下地に軒天を傾斜させて取り付けた場合を示している。
【図３】同じく、本発明の一実施形態に係る外装化粧材の異なる施工状態を示す部分断面図であり、木下地と面一に軒天を略水平に取り付けた場合を示している。
【図４】本実施形態に係る外装化粧材を示す斜視図である。
【図５】本外装化粧材を構成する化粧材本体の端面図であり、同図（ａ）は化粧材本体の裏面を平坦面とした場合、同図（ｂ）は化粧材本体の裏面に肉抜き凹部を形成した場合を示す。
【図６】本外装化粧材を構成する見切り材を示す端面図である。
【図７】本外装化粧材を構成する化粧材本体と見切り材との係合状態を示す部分拡大図である。
【図８】同図（ａ）〜（ｃ）は上記化粧材本体と見切り材との係合手順を示す部分断面斜視図である。
【図９】本発明の第１実施形態に係る外装化粧材の位置決め治具を示す部分断面斜視図である。
【図１０】上記位置決め治具の使用状態を示す部分断面拡大図であり、同図（ａ）は化粧材本体より後に軒天を施工する場合、同図（ｂ）は化粧材本体より先に軒天を施工する場合を示す。
【図１１】本発明の第２実施形態に係る外装化粧材の位置決め治具を示す部分断面斜視図である。
【図１２】上記位置決め治具の使用状態を示す部分断面拡大図であり、同図（ａ）は化粧材本体より後に軒天を施工する場合、同図（ｂ）は化粧材本体より先に軒天を施工する場合を示す。
【図１３】同図（ａ），（ｂ）は本発明に係る外装化粧材のその他の変更例を示す部分断面拡大図である。
【図１４】従来の外装化粧材の施工状態を示す部分断面図である。
【符号の説明】
【００９６】
１    外装化粧材
１０    化粧材本体
１０ａ    表面
１０ｂ    裏面
１１    係合部
１１ａ    突出部
２０    見切り材
２１    二股板状係合片
２１Ａ    上部係合片
２１Ｂ    下部係合片
２１ｂ    係止爪
２２    曲折部
３０，３０’    位置決め治具
３１    治具本体
３２    化粧材本体当接面
３２ａ  凸状部
３３    木下地当接面
３４，３４’    軒天当接面
Ｌ１    第１の所定位置決め高さ
Ｌ２    第２の所定位置決め高さ
Ｌａ，Ｌａ’    軒天の取り付け時における上下面間の垂直幅
Ｌｂ    見切り材の上方への突出高さ
１２０    木下地
１３０    軒天
１４０    雨樋
１５０    下地材
【図１】
2008069546.tif 000003
【図２】
2008069546.tif 000004
【図３】
2008069546.tif 000005
【図４】
2008069546.tif 000006
【図５】
2008069546.tif 000007
【図６】
2008069546.tif 000008
【図７】
2008069546.tif 000009
【図８】
2008069546.tif 000010
【図９】
2008069546.tif 000011
【図１０】
2008069546.tif 000012
【図１１】
2008069546.tif 000013
【図１２】
2008069546.tif 000014
【図１３】
2008069546.tif 000015
【図１４】
2008069546.tif 000016